(57)【要約】【課題】舗装廃骨材リサイクルプラントにおいて舗装廃骨材を加熱再生する加熱ドラムから排出される排ガスを、舗装骨材を使用して脱臭するにあたり、長期間にわたって連続的に脱臭を行うことができ、同時に舗装骨材の加熱乾燥を行うことができる脱臭乾燥器を提供すること。【解決手段】加熱ドラム１からの排ガスの排出経路３の途中に設けられ排ガスを通過させる貯蔵ホッパー４と、貯蔵ホッパー４に舗装骨材を供給する舗装骨材供給装置１０と、貯蔵ホッパー４から常に所定量の舗装骨材を排出する舗装骨材排出装置１１と、貯蔵ホッパー４内の舗装骨材の貯蔵量が一定になるように舗装骨材供給装置１０による舗装骨材の供給量を制御する制御機構５とを備え、貯蔵ホッパー４内の舗装骨材によって排ガスの脱臭を行うとともに、排ガスの廃熱によって貯蔵ホッパー４内の舗装骨材を加熱乾燥させるようにした。【選択図】図１
2005290685.tif 000002
【特許請求の範囲】
【請求項１】
舗装廃骨材を加熱再生する加熱ドラムから排出される排ガスを脱臭し、かつ、前記排ガスの廃熱を利用して舗装廃骨材及び／又は舗装新骨材からなる舗装骨材を加熱乾燥させる舗装廃骨材リサイクルプラントにおける脱臭乾燥器であって、
前記排ガスの排出経路の途中に設けられ前記排ガスを通過させる貯蔵ホッパーと、前記貯蔵ホッパーに舗装骨材を供給する舗装骨材供給装置と、前記貯蔵ホッパーから常に所定量の舗装骨材を排出する舗装骨材排出装置と、前記貯蔵ホッパー内の舗装骨材の貯蔵量が一定になるように前記舗装骨材供給装置による舗装骨材の供給量を制御する制御機構とを備え、
前記貯蔵ホッパー内の舗装骨材によって前記排ガスの脱臭を行うとともに、前記排ガスの廃熱によって前記貯蔵ホッパー内の舗装骨材を加熱乾燥させるようにした舗装廃骨材リサイクルプラントにおける脱臭乾燥器。
【請求項２】
前記貯蔵ホッパーから排出された舗装骨材を前記加熱ドラムに投入する舗装骨材投入装置をさらに備えた請求項１に記載の舗装廃骨材リサイクルプラントにおける脱臭乾燥器。
【発明の詳細な説明】
【技術分野】
【０００１】
本発明は、舗装廃骨材リサイクルプラントで発生する排ガスを脱臭するとともに、この排ガスの廃熱を利用して舗装骨材を加熱乾燥させる脱臭乾燥器に関する。
【背景技術】
【０００２】
舗装廃骨材リサイクルプラントでは、舗装廃骨材を加熱ドラムにて加熱し再生するようにしているが、舗装廃骨材にはアスファルト分が多量に付着しているので、加熱ドラムにて加熱するとそのアスファルト分が揮発して臭気を伴うガスやダストとして下流側に流出する。そこで、従来より、加熱ドラムの下流には脱臭器が設置されている。
【０００３】
この脱臭器として、砕石（舗装新骨材）を所定厚みに敷き詰め、加熱ドラムからの排ガス中のアスファルト分やダストを捕捉するように構成した砕石フィルターが、特許文献１に開示されている。
【０００４】
しかしながら、特許文献１に開示されている砕石フィルターでは、砕石は静的にに敷き詰められたままの固定層であるため、３〜７日程度経過するとアスファルト分が付着して目詰まり等が発生するので、定期的に砕石を交換する必要があった。また、交換直後の砕石は排ガスの廃熱で加熱されているものの、交換後、放置されるのでその温度が室温まで下がるとともに、空気中の湿気を吸着してしまうことになる。したがって、交換後の砕石をアスファルト合材の原料として使用する場合、その湿気を除去するために改めて乾燥工程に回す必要があり、排ガスの廃熱が有効に利用されていなかった。
【特許文献１】特開平９−３１３８５０号公報
【発明の開示】
【発明が解決しようとする課題】
【０００５】
本発明が解決しようとする課題は、舗装廃骨材リサイクルプラントにおいて舗装廃骨材を加熱再生する加熱ドラムから排出される排ガスを、舗装骨材を使用して脱臭するにあたり、長期間にわたって連続的に脱臭を行うことができ、同時に舗装骨材の加熱乾燥を行うことができる脱臭乾燥器を提供することにある。
【課題を解決するための手段】
【０００６】
本発明は、舗装廃骨材を加熱再生する加熱ドラムから排出される排ガスを脱臭し、かつ、前記排ガスの廃熱を利用して舗装廃骨材及び／又は舗装新骨材からなる舗装骨材を加熱乾燥させる舗装廃骨材リサイクルプラントにおける脱臭乾燥器であって、前記排ガスの排出経路の途中に設けられ前記排ガスを通過させる貯蔵ホッパーと、前記貯蔵ホッパーに舗装骨材を供給する舗装骨材供給装置と、前記貯蔵ホッパーから常に所定量の舗装骨材を排出する舗装骨材排出装置と、前記貯蔵ホッパー内の舗装骨材の貯蔵量が一定になるように前記舗装骨材供給装置による舗装骨材の供給量を制御する制御機構とを備え、前記貯蔵ホッパー内の舗装骨材によって前記排ガスの脱臭を行うとともに、前記排ガスの廃熱によって前記貯蔵ホッパー内の舗装骨材を加熱乾燥させるようにしたものである。
【０００７】
すなわち、本発明は、排ガスを脱臭するための貯蔵ホッパー内の舗装骨材を移動層とし、かつ、その貯蔵量を一定に保つようにしたことを特徴とするもので、これによって、長期間にわたって連続的に排ガスの脱臭を行うことができる。また、貯蔵ホッパー内では高温の排ガスと新たに供給される常温の舗装骨材との間で連続的に熱交換が行われるので、排ガスの脱臭と同時に、舗装骨材の加熱乾燥も行われ、加熱乾燥された舗装骨材を貯蔵ホッパーから連続的に排出することができる。
【０００８】
そして、本発明は、貯蔵ホッパーから排出された加熱乾燥後の舗装骨材を加熱ドラムに投入する舗装骨材投入装置を備えたものとすることができる。これによって、加熱乾燥後の舗装骨材をそのまま加熱ドラムに投入することができる。また、舗装骨材は余熱されているので加熱ドラムでのエネルギー消費量を削減できる。このように、本発明では加熱ドラムからの排ガスの廃熱を有効利用し、省エネルギーを達成することができる。
【０００９】
本発明において貯蔵ホッパーに投入する舗装骨材としては、貯蔵ホッパー内で排ガスが均一に流れ、かつ、排ガス中の臭気成分（アスファルト分）を効率的に捕捉するために、６号砕石又は７号砕石、すなわち直径２．５〜１３ｍｍのサイズのものを使用することが好ましい。
【発明の効果】
【００１０】
本発明は、貯蔵ホッパー内に舗装骨材の移動層を形成し、これによって排ガスの脱臭を行うようにしているので、舗装骨材を人為的に交換する必要がなく、長期間にわたって連続的に排ガスの脱臭を行うことができる。
【００１１】
貯蔵ホッパーから排出される舗装骨材は排ガスの廃熱によって加熱乾燥されているので、その舗装骨材をそのまま加熱ドラムに投入するようにすれば、乾燥工程を省略することができるとともに、加熱ドラムでのエネルギー消費量を削減できる。
【発明を実施するための最良の形態】
【００１２】
以下、図面に示す実施例に基づき本発明の実施の形態を説明する。
【００１３】
図１は、本発明の脱臭乾燥器を適用した舗装廃骨材リサイクルプラントの構成図である。
【００１４】
図１に示す舗装廃骨材リサイクルプラントは、舗装廃骨材を加熱再生する加熱ドラム１と、加熱ドラム１からの排ガス中の粉塵を除去するサイクロン２と、排ガスの排出経路３の途中に設けられて排ガスを通過させる貯蔵ホッパー４とを主要な構成としている。
【００１５】
加熱ドラム１は、加熱源としてドライヤバーナ１ａを備えており、舗装廃骨材ホッパー６ａ〜６ｃに貯蔵されている舗装廃骨材が、投入ベルコン８によって加熱ドラム１内に投入されるようになっている。なお、実施例では舗装新骨材ホッパー７ａ〜７ｃに貯蔵されている舗装新骨材も加熱乾燥のために投入ベルコン８によって加熱ドラム１内に投入されるようになっている。加熱ドラム１によって加熱処理された舗装骨材（舗装廃骨材と舗装新骨材）は、排出口１ｂから排出されてホッパ９に貯蔵される。ホッパ９内の舗装骨材は、アスファルト合材の原料として再利用される。
【００１６】
加熱ドラム１内のガスは、排ガスの排出経路３の末端付近に設けた排風機１２によって吸引され排出されるが、その一部はリターンファン１ｃによってドライヤバーナ１ａに戻されて循環使用される。
【００１７】
排ガスの排出経路３において排ガスは、まずサイクロン２に導かれ、排ガス中の粉塵が除去される。除去された粉塵は、排出口１ｂから排出されてホッパ９に貯蔵される。
【００１８】
サイクロン２を出た排ガスは、次に貯蔵ホッパー４に導かれる。この貯蔵ホッパー４には、舗装廃骨材ホッパー６ａに貯蔵されている舗装廃骨材（６号砕石相当）又は舗装新骨材ホッパー７ａに貯蔵されている舗装新骨材（６号砕石）が、舗装骨材供給装置としての舗装骨材搬送用エレベータ１０によって上方から供給される。また、貯蔵ホッパー４の底部からは、舗装骨材排出装置としての定量切出機１１によって、常に所定量の舗装骨材が排出されるようになっている。これによって、貯蔵ホッパー４内には舗装骨材の移動層が形成されることになる。また、貯蔵ホッパー４には、貯蔵ホッパー４内の舗装骨材の上面レベルを検出するレベルセンサ５が設けられており、このレベルセンサ５からのレベル検出信号に基づいて舗装骨材搬送用エレベータ１０からの舗装骨材の供給量を制御して、貯蔵ホッパー４内の舗装骨材の貯蔵量（上面レベル）が常に一定になるようにしている。すなわち、このレベルセンサ５が、貯蔵ホッパー４内の舗装骨材の貯蔵量を一定にするための制御機構を構成する。
【００１９】
以上の構成において、サイクロン２を出た排ガスは、貯蔵ホッパー４の下部から導入され、貯蔵ホッパー４内の舗装骨材の移動層と向流接触する。これによって、排ガス中のアスファルト分等の臭気成分が舗装骨材に捕捉されて脱臭される。これと同時に、排ガスと舗装骨材との間で熱交換が行われ舗装骨材が加熱乾燥される。
【００２０】
加熱乾燥されたアスファルト付の舗装骨材は、上述のように定量切出機１１によって貯蔵ホッパー４の底部から排出され、舗装骨材投入装置としての投入ベルコン８によって加熱ドラム１に投入される。このアスファルト付の舗装骨材は、加熱ドラム１内でアスファルト分が揮発する温度以上に加熱され再生されるが、貯蔵ホッパー４から排出された舗装骨材は、上述のとおり、排ガスの廃熱によって予熱されており、それが投入ベルコン８によって加熱ドラム１に直接的かつ連続的に投入されるので、加熱ドラム１での再加熱のためのエネルギー量を低減できる。
【００２１】
一方、貯蔵ホッパー４の頂部から排出された排ガスは、湿式集塵機付きの煙突１３に導入され、無害化された後に大気中に排出される。なお、図１に一点鎖線で示すように、湿式集塵機に代えて乾式のバグフィルタ１４を排風機１２の前に設けてもよい。
【図面の簡単な説明】
【００２２】
【図１】本発明の脱臭乾燥器を適用した舗装廃骨材リサイクルプラントの構成図である。
【符号の説明】
【００２３】
１  加熱ドラム
１ａ  ドライヤバーナ
１ｂ  排出口
１ｃ  リターンファン
２  サイクロン
３  排ガスの排出経路
４  貯蔵ホッパー
５  レベルセンサ
６ａ〜６ｃ  舗装廃骨材ホッパー
７ａ〜７ｃ  舗装新骨材ホッパー
８  投入ベルコン（舗装骨材供給装置）
９  ホッパ
１０  舗装骨材搬送用エレベータ（舗装骨材供給装置）
１１  定量切出機（舗装骨材排出装置）
１２  排風機
１３  湿式集塵機付きの煙突
１４  バグフィルタ
【図１】
2005290685.tif 000003